(57)【特許請求の範囲】
【請求項１】
デジタル・ビデオ信号に含まれる周期的信号のエラーを検出する検出装置において、
上記周期的信号の１フレーム分に対応している基準信号のデータを予め記憶しており、アドレス信号によって該基準信号のデータが読み出される基準信号発生手段と、
入力されたビデオ信号に含まれるフレーム同期信号に同期して、フレーム・リセット信号を出力するフレーム・リセット信号発生回路と、
上記フレーム・リセット信号発生手段からの上記フレーム・リセット信号によりリセットされ、該フレーム・リセット信号に同期した周期で、上記基準信号発生手段にアドレス信号を反復出力するアドレス発生手段と、
上記基準信号発生手段からの上記基準信号のデータと入力されたビデオ信号に含まれる上記周期的信号のデータとを比較して、該周期的信号のエラーを検出してエラー検出情報を出力するための比較手段と、
上記比較手段から出力されたエラー検出情報を可視情報または可聴情報として出力する出力手段と、
上記比較手段から出力されたエラー検出情報の履歴を記憶する第１の記憶手段と、
上記アドレス発生手段によってアドレス指定されて、入力されたビデオ信号に含まれる周期的信号のデータ及びエラー情報を含むデータの属性を表すデータ属性信号を記憶するための第２の記憶手段と、
上記検出装置全体の制御を行うための制御手段であって、上記第１の記憶手段中のエラー検出情報の履歴に基づいて、同一位置に連続して又は所定時間以内に複数回のエラーが生じた場合に、該エラーが発生した位置に対応する上記第２の記憶手段のアドレスに、データ属性信号を記憶させ、かつ上記出力手段から警報を発生させる制御手段と
を備えていることを特徴とする検出装置。
【請求項２】
請求項１記載の検出装置において、
上記出力手段はディスプレイ手段を含んでおり、
上記制御手段は、上記比較手段がエラー検出情報を出力した場合には、ディスプレイ手段に、上記第２の記憶手段に記憶されたデータを表示させるよう制御する
ことを特徴とする検出装置。
【請求項３】
請求項１又は２記載の検出装置において、上記出力手段はさらに、警報を出力するアラーム出力手段及び印字出力を提供するプリンタ手段を含んでいることを特徴とする検出装置。
【請求項４】
請求項１〜３いずれかに記載の検出装置において、上記基準信号発生回路から発生される基準信号が、入力されるビデオ信号の１フレーム分に対応する基準ビデオ信号であることを特徴とする検出装置。
【請求項５】
請求項１〜３いずれかに記載の検出装置において、上記基準信号発生回路から発生される基準信号は、入力されるビデオ信号の１フレーム分の水平及び垂直同期信号に対応する基準同期信号であることを特徴とする検出装置。
【請求項６】
請求項４記載の検出装置において、上記比較手段は、
入力されたビデオ信号の規格値に許容幅を有している場合は、基準ビデオ信号をＶＲＥＦとし、許容誤差をαとするとき、入力されたビデオ信号が［ＶＲＥＦ−α，ＶＲＥＦ＋α］または［−ＶＲＥＦ−α，−ＶＲＥＦ＋α］の範囲内か否かを判定し、いずれの範囲にも属さない場合にエラー検出信号を出力し、
入力されたビデオ信号の規格値に許容幅がない場合は、入力されたビデオ信号がＶＲＥＦまたは−ＶＲＥＦと一致しているか否かを判定し、いずれにも一致していない場合にエラー検出信号を出力する
ことを特徴とする検出装置。
【請求項７】
請求項２記載の検出装置において、
上記第１の記憶手段は、上記基準信号発生手段と同一の基準信号データを記憶しており、
上記制御手段は、エラーが発生した位置に対応する上記第２の記憶手段のアドレスに、上記第１の記憶手段に記憶された基準信号データを読み出して、修正データ信号として記憶させることにより、エラーを有するデータを修正し、
上記検出装置はさらに、上記第２の記憶手段に記憶されたデータを再生して、上記ディスプレイ手段または検出装置の外部に供給する手段を備えている
ことを特徴とする検出装置。
【発明の詳細な説明】
【０００１】
【発明の技術分野】
本発明は、ビデオ信号中の周期的な信号の振幅及び時間（位相）のエラー（誤り）を検出して、ビデオ信号のエラーを検出するための検出装置に関する。
【０００２】
【従来の技術】
ビデオ信号を複数のビデオ機器の間でシリアルまたはパラレル形態でデジタル伝送する場合に、該ビデオ信号中に含まれる水平及び垂直同期信号にエラーがあると映像が乱れてしまい、重大な障害を生じてしまうので、同期信号のエラーを検出してそれに対処することが、非常に重要なことである。また、ビデオ信号中の映像信号期間にエラーがある場合も、意図した映像が得られないので、このようなエラーを検出することも、重要なことである。
そのため、デジタル・ビデオ信号を伝送する場合、その伝送途中に検出装置を接続してビデオ信号を監視すれば、そのエラーを検出することができ、ビデオ信号の伝送が正常に行われなかったことを警告することができる。また、ビデオ機器の出力端子に検出装置を接続すれば、該ビデオ機器からのビデオ信号が正常か異常か、ひいては該ビデオ機器に障害が生じていないか否かを確認することができる。
【０００３】
このようなビデオ信号のエラーを検出するための従来例の検出装置として、ビデオ信号がデジタル信号である場合に、以下のような装置が提案されている。
（ａ）ビデオ機器のパラレル出力にロジック・アナライザを接続して、ビデオ信号の振幅と時間とを監視する。そして、オペレータが、得られた振幅及び時間（タイミング）のデータを基準値を比較して、エラーが生じているか否かを判定する。
（ｂ）ビデオ機器のパラレル出力をＤ／Ａコンバータを介してオシロスコープに接続することにより、アナログ信号としてビデオ信号の振幅と時間を測定する。そして、オペレータが、測定された振幅と時間とを基準値と比較することにより、エラーが生じているか否かを判定する。
（ｃ）ビデオ機器用のプロトコル・アナライザを用いて、ＣＲＣを利用した誤り検出を行い、かつエラー・レートを測定して、所定の頻度で誤りが生じた場合は、ビデオ機器に障害が生じたものとする判定を行う。
【０００４】
【発明が解決しようとする課題】
上記した従来例（ａ）の検出装置においては、ビデオ信号を一旦ロジック・アナライザに取り込まなければならず、かつ、ロジック・アナライザで得られたビデオ信号の振幅及び時間のデータを、オペレータが基準値と比較して判定しなければならないので、リアルタイムでエラー検出をすることができないとともに、無人のエラー検出が不可能である。
また、上記した従来例（ｂ）の検出装置においても、オペレータがエラー判定しているので、無人のエラー検出ができない。
さらに、上記従来例（ｃ）の検出装置においては、現存するプロトコル・アナライザが、ＳＭＰＴＥ  ＲＰ１６５（ＥＤＨ）に準拠したフィールド単位のＣＲＣによるエラー検出方法を採用しているため、エラー発生位置の特定ができず、またＥＤＨが伝送上で生じたエラーを検出する方法であるため、伝送前のビデオ信号にエラーがあるか否かを検出することができない。
【０００５】
【課題を解決するための手段】
本発明は上記問題点を解決するためになされたものであり、本発明のデジタル・ビデオ信号に含まれる周期的信号のエラーを検出する検出装置においては、
ビデオ信号の１フレーム内に存在する周期的信号に対応している基準信号のデータを予め記憶しており、アドレス信号によって該基準信号のデータが読み出される基準信号発生手段と、
入力されたビデオ信号に含まれるフレーム同期信号に同期して、フレーム・リセット信号を出力するフレーム・リセット信号発生回路と、
上記フレーム・リセット信号発生手段からの上記フレーム・リセット信号によりリセットされ、該フレーム・リセット信号に同期した周期で、上記基準信号発生手段にアドレス信号を反復出力してするアドレス発生手段と、
上記基準信号発生手段からの上記基準信号のデータと入力されたビデオ信号に含まれる上記周期的信号のデータとを比較し、該周期的信号のエラーを検出してエラー検出情報を出力するための比較手段と、
上記比較手段から出力されたエラー検出情報を可視情報または可聴情報として出力する出力手段と、
上記検出装置全体の制御を行うための制御手段と
を備えていることを特徴としている。
本発明はこのような構成を有して、入力されるビデオ信号に含まれるフレーム・サイクルと同一サイクルで基準信号を発生することができるので、ビデオ信号の１フレーム内に存在する周期的信号部分のエラーを検出でき、しかもリアルタイムで検出することができる。
【０００６】
本発明の好適な実施例においては、検出装置はさらに、アドレス発生手段によってアドレス指定されて、入力されたビデオ信号に含まれる周期的信号のデータを記憶するためのメモリ手段を備えており、該メモリ手段は、制御手段の制御により、比較手段がエラー検出情報を出力した場合には、エラーが発生した位置に対応するアドレスにデータ修正信号が記憶されるよう構成されている。なお、データ修正信号を記憶しないで、エラーが生じたままの状態でのデータを記憶するようにすることもできる。
このようなメモリ手段を備えた検出装置において、出力手段はディスプレイ手段を含むことができ、制御手段が、比較手段がエラー検出情報を出力した場合には、それ以降のエラー検出動作を停止させ、かつ、ディスプレイ手段に、メモリ手段に記憶されたデータを表示させるよう制御することができる。
また、メモリ手段を備えた検出装置において、出力手段が比較手段が出力したエラー検出情報の履歴を記憶する記憶手段を含み、制御手段が、該記憶手段中のエラー検出情報の履歴に基づいて、同一位置に一回あるいは複数回（例えば、２回）のエラーが生じた場合に、該エラーが発生した位置に対応するメモリ手段のアドレスに、データ修正信号を記憶させるよう制御することができる。
さらに、上記のようなメモリ手段及び記憶手段を備えた検出装置において、出力手段がさらに、警報を出力するアラーム出力手段及び印字出力を提供するプリンタ手段を含むことができる。また、検出装置
【０００７】
本発明は、入力されるビデオ信号自身が１フレームまたは２フレーム単位で周期的信号である場合に適用でき、この場合、基準信号発生回路から発生される基準信号は、入力されるビデオ信号の１フレーム分に対応する基準ビデオ信号となる。
また、ビデオ信号に含まれる水平及び垂直同期信号はどのようなビデオ信号でも周期的信号であるので、本発明においては、これらの同期信号のエラーを検出することもでき、この場合、基準信号発生回路から発生される基準信号は、入力されるビデオ信号の１フレーム分の水平及び垂直同期信号に対応する基準同期信号となる。
【０００８】
【実施の態様】
図１は、本発明の一実施例である、デジタル・ビデオ信号のエラーを検出するための検出装置のブロック図を示している。この実施例においては、入力されるビデオ信号自体が、周期的信号である場合に適用可能である。
図１において、１は検出装置全体の動作を制御する制御回路（ＣＰＵ）であり、ＩＮ及びＯＵＴは、ビデオ信号ＶＩＮが入力及び出力される入力端子及び出力端子である。なお、入力されるビデオ信号がシリアル形態である場合には、シリアル／パラレル変換回路（不図示）を介して入力端子ＩＮに供給され、かつパラレル／シリアル変換回路（不図示）を介して出力端子ＯＵＴから出力される。一方、ビデオ信号がパラレル形態である場合には、ビデオ信号は直接入力端子ＩＮに供給され、かつ直接出力端子ＯＵＴから出力される。また、ビデオ信号がアナログ信号である場合には、Ａ／Ｄ変換器（不図示）を介して入力し、Ｄ／Ａ変換器を介して出力すればよいことは、言うまでもない。
【０００９】
入力されたビデオ信号ＶＩＮは、同期分離回路２に供給されて該ビデオ信号ＶＩＮ中の同期信号が分離され、そして、分離された同期信号中のフレーム同期信号と同期するフレーム・リセット信号ＳＦＲがフレーム・リセット信号発生回路３によって発生される。発生されたフレーム・リセット信号ＳＦＲは、アドレス発生回路４に供給されて該アドレス発生回路４をリセットする。アドレス発生回路４は、水平カウンタと垂直カウンタとを含み、水平カウンタは、リング・カウンタで構成され、クロック発生回路５からのワード・クロックＣＬＫをカウントして、例えば０〜９０９のカウント値のワード・アドレス信号（下位アドレス信号）ＡＤＤＷをサイクリックに出力し、一方、垂直カウンタは、水平カウンタの出力を分周して、例えば０〜５２４カウント値のライン・アドレス信号（上位アドレス信号）ＡＤＤＬを出力する。したがって、アドレス発生回路４は、ワード・アドレス信号とライン・アドレス信号との組み合わせからなる、通常９１０×５２５のアドレス信号ＡＤＤ（＝ＡＤＤＬ＋ＡＤＤＷ）を出力する。アドレス発生回路４中の水平及び垂直カウンタは、フレーム・リセット信号ＳＦＲが出力された時点でゼロ・リセットされる。
【００１０】
アドレス発生回路４によって発生されたアドレス信号ＡＤＤは、ＣＰＵ１に供給されるとともに、ＲＯＭ等のメモリで構成されている基準信号発生回路６に供給される。基準信号発生回路６は、特定パターンの基準ビデオ信号を予め記憶しており、アドレス信号ＡＤＤによって順次アドレス指定されて、基準ビデオ信号ＶＲＥＦを比較回路７に供給する。比較回路７には入力されたビデオ信号ＶＩＮも供給されており、該比較回路７において、入力ビデオ信号ＶＩＮと基準信号発生回路６からの基準ビデオ信号ＶＲＥＦとが比較され、エラーが生じている場合には、エラー検出信号ＳＥＲＲＯＲをＣＰＵ１に供給する。
なお、アドレス発生回路４に含まれる水平カウンタが、クロック発生回路５から出力されるワード・クロックＣＬＫをカウントしているため、アドレス信号ＡＤＤ（＝ＡＤＤＬ＋ＡＤＤＷ）は、該ワード・クロックＣＬＫに同期して発生される。
【００１１】
ＣＰＵ１は、比較回路７からのエラー検出信号ＳＥＲＲＯＲ、及びその時点で供給されたアドレス信号ＡＤＤ、すなわち、エラーが発生した位置に対応しているアドレスを表すエラー発生アドレス信号ＡＤＤＥＲＲＯＲを、ＲＡＭ等で構成されるメモリ８、プリンタ９に供給するとともに、エラー発生信号をアラーム発生回路１０に供給して警報を発生させる。さらにＣＰＵ１は、エラー発生アドレス信号ＡＤＤＥＲＲＯＲ及びデータ属性信号ＳＡを、アドレス切換回路（ＭＰＸＡＤＤ）１１及びデータ切換回路（ＭＰＸＤＡＴＡ）１２を介して、ＲＡＭ等で構成されるメモリ１３に供給する。なお、メモリ１３は、データ信号を記憶するとともに、エラー情報を含むデータの属性を表すデータ属性信号を記憶するよう構成されており、ＣＰＵ１からのデータ属性信号を、対応するデータ信号と同一のアドレスに記憶する。また、メモリ８には、基準信号発生回路６と同一の基準信号データがあらかじめ記憶されている。
データ切換回路１４は、入力ビデオ信号ＶＩＮ及びメモリ１３に記憶されたビデオ信号ＶＭのいずれを、ディスプレイ１５に供給して表示するかを選択するためのものである。
また、アドレス切換回路１１及びデータ切換回路１２は、ＣＰＵ１からの制御信号によって同時に切り換えられ、データ切換回路１４は、ＣＰＵ１からの別の制御信号によって切り換えられるが、ＣＰＵ１からの制御線は省略してある。
【００１２】
アドレス発生回路４から出力されたアドレス信号ＡＤＤはまた、アドレス切換回路１１を介してメモリ１３に供給され、それにより、入力ビデオ信号ＶＩＮが、データ切換回路１２を介してメモリ１３の対応するアドレスに記憶される。
なお、ビデオ信号がコンポーネント信号（例えば、ＮＴＳＣ方式のＳＭＴＥ１２５Ｍ等に準拠した信号）である場合には、１フレームで１画面を構成しているので、メモリは１フレーム分の記憶容量を有していればよく、かつ１フレーム分のアドレスを出力するアドレス信号ＡＤＤをそのままメモリ１３に供給すればよい。
一方、ビデオ信号がコンポジット信号（例えば、ＳＭＰＴＥ１７０Ｍまたは２４４Ｍに準拠した信号）である場合には、２フレーム（Ａ及びＢフレーム）で１画面を表している。したがって、メモリ１３は２フレーム分のデータを記憶する容量を有している必要があり、したがって、この場合、メモリ１３には２フレーム分のアドレス信号を供給する必要がある。このため、図１に示すように、スイッチ１７及び記憶領域切換回路１８を設けて、コンポジット信号である場合には、ＣＰＵ１からの制御信号によりスイッチ１７をオンし、かつフレーム・リセット信号ＳＦＲが発生される毎にメモリ１３に対して記憶領域切換信号ＳＲＳＷを出力することにより、Ａフレーム中のデータとＢフレームのデータとをメモリ１３の別の記憶領域に記憶する。
【００１３】
比較回路７は、基準信号発生回路６で発生された基準ビデオ信号ＶＲＥＦのデータを受け取ると、ビデオ信号の規格値に許容範囲がある場合（例えば、ＮＴＳＣ方式のＳＭＰＴＥ１７０Ｍに準拠したコンポジット信号）には、同期信号とバースト信号中のサブキャリアとの位相関係がライン毎に位相反転することを考慮して、そのタイミングで入力されるビデオ信号ＶＩＮのデータが、
［ＶＲＥＦ−α，ＶＲＥＦ＋α］または［−ＶＲＥＦ−α，−ＶＲＥＦ＋α］
の範囲内であるかどうかを判定する。ただし、αは許容誤差（例えば１ＩＲＥ）である。そして、範囲外であると判定すると、エラー検出信号ＳＥＲＲＯＲをＣＰＵ１に供給する。
また、ビデオ信号が、その規格値に許容誤差がない（例えば、ＮＴＳＣ方式のＳＭＰＴＥ２４４Ｍに準拠したコンポジット信号）の場合は、比較回路７は、ビデオ信号ＶＩＮのデータが、ＶＲＥＦまたは−ＶＲＥＦに一致しているか否かを判定し、いずれにも一致していない場合に、エラー検出信号ＳＥＲＲＯＲをＣＰＵ１に出力する。比較回路での比較タイミングは、ＣＰＵ１からの制御信号に基づいて制御される。
【００１４】
ＣＰＵ１は、比較回路７からエラー検出信号ＳＥＲＲＯＲが供給されない限り、アドレス切換回路１１、データ切換回路１２及び１４を図示の接続状態に保持し、また、メモリ１３に対して書込（Ｗ）信号を供給する。これにより、メモリ１３にデータ切換回路１２を介して入力ビデオ信号ＶＩＮが供給され、かつアドレス発生回路４からアドレス信号ＡＤＤがアドレス切換回路１１を介して供給されるので、入力ビデオ信号ＶＩＮがメモリ１３に記憶される。このとき、データ切換回路１４を介して入力ビデオ信号ＶＩＮがディスプレイ１５に供給され、その信号波形が表示される。
一方、比較回路７からエラー検出信号ＳＥＲＲＯＲが出力されると、ＣＰＵ１は、アドレス切換回路１１及びデータ切換回路１２を図示の状態とは逆の接続状態に切り換え、かつ、エラー発生アドレス信号ＡＤＤＥＲＲＯＲ及びデータ属性信号ＳＡを発生し、アドレス切換回路１１及びデータ切換回路１２を介して、メモリ１３に供給する。これにより、メモリ１３の、エラーが発生したピクセルに対応するアドレスに、データ属性信号ＳＡが書き込まれる。
【００１５】
ＣＰＵ１から発生されるデータ属性信号ＳＡは、ディスプレイ１５上において、該当するピクセルの表示を変更させるため等に使用され、例えば、該ピクセルを赤色等に表示したり、輝度を変更したりすることにより、エラーが生じたピクセルをオペレータに対して際立たせることができるようにするものである。
なお、エラーの発生がバースト的に生じたものである場合には、エラー表示を行ったりアラームを発生したりしてオペレータに知らせる必要がないこともあるので、ＣＰＵ１は、メモリ８にエラー発生の履歴を記憶し、そしてその履歴を監視して、同一ピクセルにエラーが一度でも生じた場合、あるいは連続して複数回（例えば、２回以上）または所定時間以内に複数回生じた場合に、エラー発生アドレス信号ＡＤＤＥＲＲＯＲ及びデータ属性信号ＳＡを発生し、かつアラーム発生回路１０から警報を発生するように、制御することが好ましい。
【００１６】
ＣＰＵ１は、メモリ１３へのデータ属性信号ＳＡの書き込みが終了すると、アラーム発生回路１０から警報を発生すると同時に、あるいは一定時間経た後に、メモリ１３への書込（Ｗ）制御信号を停止して書き込み動作を停止させる。そして、警報が発生されたことを知ったオペレータが、ビデオ信号中のどのピクセルにエラーが生じたかを知るために、操作パネル１６を操作すると、ＣＰＵ１の制御により、データ切換回路１４が図示の状態とは逆の接続状態に切り換えられる。さらにＣＰＵ１は、メモリ１３に対して読出（Ｒ）制御信号を供給して読み出し動作モードに切り換え、メモリ１３に記憶されたビデオ信号の連続する複数ライン（例えば、５ライン）分を読み出して、そのライン番号と共に、データ切換回路１４を介してディスプレイ１５に供給し表示する。ディスプレイ１５の表示は、オペレータが操作パネル１６を操作することによりスクロールされる。
【００１７】
なお、エラーが生じたピクセルを含んだライン、すなわち、エラー発生アドレスＡＤＤＥＲＲＯＲを含んでいるラインの番号（エラー発生ライン番号）が分かっているので、該ラインを最初に表示する複数ラインの中に含ませるよう制御することが好ましい。また、オペレータの操作が無くても、ＣＰＵ１の制御により自動的に、ディスプレイ１５にメモリ１３の内容を表示するようにしてもよい。
さらに、エラー発生ライン中の複数のピクセル（例えば、１０個のピクセル）のデータとアドレスとを対応付けて、デイスプレイ１５に表示できるようにすることもできる。
このように、エラーの発生がディスプレイ１５に表示されると、オペレータの操作パネル１６の操作により、ＣＰＵ１は、エラー発生位置に対応するメモリ８のアドレスに記憶されている基準信号データを読み出し、修正データＳＭとしてエラー発生アドレス信号ＡＤＤＥＲＲＯＲとともに出力し、メモリ１３中の該アドレスに記憶されたデータを適正なデータに修正する。または、オペレータの入力により、任意のデータに修正することもできる。そして、該修正されたデータを含んだ信号を、必要に応じてメモリ１３から読み出して、ディスプレイ１５に表示しかつ出力端子ＯＵＴから外部に出力するよう制御する。
【００１８】
上記説明においては、入力ビデオ信号ＶＩＮ全体の波形が１フレームまたは１フレーム単位で周期的である場合に、該ビデオ信号の全体を基準ビデオ信号ＶＲＥＦとリアルタイムで比較して、エラー検出をしている。しかしながら、入力ビデオ信号中の水平同期信号及び垂直同期信号は必ず周期的信号であるので、本発明によれば、これらの同期信号のみを基準のものと比較して、同期エラーが生じているか否かを検出することもできる。
図２は、水平及び垂直同期信号のみの同期エラーを検出するための検出装置であり、図１の検出装置と以下の点で相違している。図２においては、アドレス発生回路４′がライン・アドレス信号ＡＤＤＬのみを供給し、基準信号発生回路６′には水平及び垂直同期信号のみに対応する基準水平／垂直同期信号Ｈ／ＶＲＥＦが予め記憶されており、かつメモリ１３′には２フレーム分の水平及び垂直同期信号のデータのみが記憶される。
図２の検出装置は図１の検出装置と比べて、メモリ８及び１３′の必要メモリ容量を極めて少なくすることでき、しかも、ビデオ信号がフレーム毎に相違していても、水平、垂直同期信号のエラーを確実に検出することができる。
【００１９】
図３は、図２に示したエラー検出装置の主要部の出力波形を表している。（Ａ）はフレーム・リセット信号発生回路３から出力されるフレーム・リセット信号ＳＦＲ、（Ｂ）は基準信号発生回路６′から発生される基準水平／垂直同期信号Ｈ／ＶＲＥＦを表している。また、（Ｃ）及び（Ｄ）は正常な入力ビデオ信号ＶＩＮ及びそれに対応して比較回路７から出力されるエラー検出信号ＳＥＲＲＯＲを表し、（Ｅ）及び（Ｆ）は水平同期信号にエラーが存在する場合の入力ビデオ信号ＶＩＮ及びそれに対応して比較回路７から出力されるエラー検出信号ＳＥＲＲＯＲを表している。
図３からも明らかなように、実際に入力されたビデオ信号ＶＩＮのフレーム同期信号に同期して基準水平／垂直同期信号Ｈ／ＶＲＥＦが発生されるので、１フレーム中のビデオ信号に含まれる同期信号の時間のズレが検出でき、また時間が一致している場合でも、その振幅のエラーが検出できる。
【００２０】
【発明の効果】
本発明は以上のように構成されているので、入力されるビデオ信号に含まれる周期的信号が、該ビデオ信号中のフレーム同期信号を基準として、振幅及び時間に関してエラー検出でき、しかもリアルタイムでエラー検出できる。また、オペレータがデイスプレイ等を常に監視していなくても、エラー発生を即座に検出して警報を発生することができ、したがって、その後にオペレータがデータの解析等を行うことにより、ビデオ機器または伝送路等の故障箇所を検出修理することができる。
【図面の簡単な説明】
【図１】本発明の一実施例のビデオ信号のエラーを検出するための検出装置のブロック図である。
【図２】本発明の他の実施例のビデオ信号に含まれる同期信号のエラーを検出するための検出装置のブロック図である。
【図３】図２に示された検出装置の主要部の信号波形を示した波形図である。
【図１】
0003570801.tif 000002
【図２】
0003570801.tif 000003
【図３】
0003570801.tif 000004